(57)【要約】【課題】特殊な冶具や高価な電流測定装置を用いることなく、また、専門の技術者でなくても、複数の機能の電力制御状態を簡単に確認することができる携帯端末機器の提供。【解決手段】通話機能１０１やカメラ機能１０２、ミュージックプレイヤ機能１０３などの複数の機能を備える携帯端末機器に、複数の機能の各々の電力制御状態が通電状態であるのか省電状態であるのかを示す省電状態フラグなどの電力状態情報を生成する電力状態情報生成部２００と、電力状態情報に基づいて、各々の機能を動作させるデバイスに電力を供給する制御を行う電力制御部３００と、電力状態情報に基づいて、複数の機能の電力制御状態をＬＥＤやディスプレイなどの表示部に表示させる表示制御部４０１とを設ける。これにより、複数の機能の電力制御状態を一見して判別でき、電力制御状態のテストを簡単に実施することが可能となる。【選択図】図１
2006229340.tif 000002
【特許請求の範囲】
【請求項１】
電源が供給されている通電状態、又は、電源の供給が停止又は低減されている省電状態のいずれかに制御される複数の機能を有する携帯端末機器において、
前記複数の機能の各々の電力制御状態が、前記通電状態であるか、前記省電状態であるかを示す電力状態情報を生成する電力状態情報生成部と、
前記電力状態情報に基づいて表示部の表示形態を制御する表示制御部と、を少なくとも備えることを特徴とする携帯端末機器。
【請求項２】
電源が供給されている通電状態、又は、電源の供給が停止又は低減されている省電状態のいずれかに制御される複数の機能を有する携帯端末機器において、
前記複数の機能の各々の電力制御状態が、前記通電状態であるか、前記省電状態であるかを示す電力状態情報を生成する電力状態情報生成部と、
前記電力状態情報を参照して、前記複数の機能の全てが前記省電状態であるか、又は、前記複数の機能のいずれかが前記通電状態であるかに応じてＬＥＤの消灯／点灯を制御する表示制御部と、を少なくとも備えることを特徴とする携帯端末機器。
【請求項３】
電源が供給されている通電状態、又は、電源の供給が停止又は低減されている省電状態のいずれかに制御される複数の機能を有する携帯端末機器において、
前記複数の機能の各々の電力制御状態が、前記通電状態であるか、前記省電状態であるかを示す電力状態情報を生成する電力状態情報生成部と、
前記電力状態情報を参照して、前記複数の機能の各々の前記電力制御状態に応じてＬＥＤの表示色を制御する表示制御部と、を少なくとも備えることを特徴とする携帯端末機器。
【請求項４】
電源が供給されている通電状態、又は、電源の供給が停止又は低減されている省電状態のいずれかに制御される複数の機能と、前記機能と同数のＬＥＤとを有する携帯端末機器において、
前記複数の機能の各々の電力制御状態が、前記通電状態であるか、前記省電状態であるかを示す電力状態情報を生成する電力状態情報生成部と、
前記電力状態情報を参照して、前記複数の機能の各々の前記電力制御状態に応じて各々の前記機能に対応するＬＥＤの消灯／点灯を制御する表示制御部と、を少なくとも備えることを特徴とする携帯端末機器。
【請求項５】
電源が供給されている通電状態、又は、電源の供給が停止又は低減されている省電状態のいずれかに制御される複数の機能を有する携帯端末機器において、
前記複数の機能の各々の電力制御状態が、前記通電状態であるか、前記省電状態であるかを示す電力状態情報を生成する電力状態情報生成部と、
前記電力状態情報を参照して、前記複数の機能の各々の前記電力制御状態をディスプレイに表示させる表示制御部と、を少なくとも備えることを特徴とする携帯端末機器。
【発明の詳細な説明】
【技術分野】
【０００１】
本発明は、携帯端末機器に関し、特に、携帯端末機器の基本機能である電力制御状態の判別機能に関する。
【背景技術】
【０００２】
携帯電話機に代表される携帯端末機器は、音声やデータを通信する機能やインターネットにアクセスする機能、カメラ機能、ミュージックプレイヤ機能、ＴＶ放送受信機能などの様々な機能が付加されており、携帯端末機器の多機能化に伴う消費電力の増加を抑えるために、携帯端末機器には電力制御機能が設けられている。
【０００３】
この電力制御機能は、通話している状態やユーザが端末を操作している状態、あるいは、何も操作せずに着信を待っている待ち受け状態など、携帯端末機器の動作状態に応じて小まめに電力の制御を行うものであり、必要最小限の電力を供給することで電池の持ち時間を延ばしている。
【０００４】
このような電力制御機能に関して、例えば、特開２００１−１１９４７６号公報には、使用者が接触センサに最後に接触してから節電モードに移行する間での時間をタイマにセットし、タイマが満了したと判断すると節電モードに移行し、電源制御部を制御して表示部への電源供給を断とする携帯電話機が開示されている。
【０００５】
【特許文献１】特開２００１−１１９４７６号公報（第３−４頁、第１図）
【発明の開示】
【発明が解決しようとする課題】
【０００６】
上記多様な機能が付加されている携帯端末機器の消費電力を低減するためには、複数の機能の各々に対して個別に電力制御を行うことが好ましく、携帯端末機器の製造メーカでは、この電力制御機能が正常に動作しているかをテストする必要がある。その際、待ち受け時に液晶ディスプレイのバックライトを消灯するような単純な電力制御の場合はディスプレイの明るさで電力制御状態を確認することができるが、複数の機能の各々に対して電力制御を行う場合は、どの機能が電力が供給されている状態（以下、通電状態と呼ぶ。）であり、どの機能が電力の供給が停止又は低減されている状態（以下、省電状態と呼ぶ。）であるかを判別することはできない。
【０００７】
そこで、従来は、電池から電流測定用の導線を引き出した特殊な冶具（電力測定用電池）を使い、電流計を用いて実際に流れる電流を測定することにより電力制御状態を確認していたが、携帯端末機器は基地局と定期的に通信を行っており、一般に電流計の値は一定値を示さずに周期的な変動を繰り返すため、定期的な動作を除いた部分で電流値が正しく制御されているかを測定する必要があり、そのために、従来は電流値の記録を専門の技術者が解析していた。
【０００８】
しかしながら、この方法では、特殊な冶具と高価な電流測定装置を必要とするため、テストの実施に費用がかかり、また、測定した電流値の記録の解析は専門の技術者でないと難しく、多くの条件でのテストを実施することが難しいという問題があった。
【０００９】
本発明は上記問題点に鑑みてなされたものであり、その主たる目的は、特殊な冶具や高価な電流測定装置を用いることなく、また、専門の技術者でなくても、複数の機能の電力制御状態を簡単に確認することができる携帯端末機器を提供することにある。
【課題を解決するための手段】
【００１０】
上記目的を達成するために、本発明の携帯端末機器は、電源が供給されている通電状態、又は、電源の供給が停止又は低減されている省電状態のいずれかに制御される複数の機能を有する携帯端末機器において、前記複数の機能の各々の電力制御状態が、前記通電状態であるか、前記省電状態であるかを示す電力状態情報を生成する電力状態情報生成部と、前記電力状態情報に基づいて表示部の表示形態を制御する表示制御部と、を少なくとも備えるものである。
【００１１】
また、本発明の携帯端末機器は、電源が供給されている通電状態、又は、電源の供給が停止又は低減されている省電状態のいずれかに制御される複数の機能を有する携帯端末機器において、前記複数の機能の各々の電力制御状態が、前記通電状態であるか、前記省電状態であるかを示す電力状態情報を生成する電力状態情報生成部と、前記電力状態情報を参照して、前記複数の機能の全てが前記省電状態であるか、又は、前記複数の機能のいずれかが前記通電状態であるかに応じてＬＥＤの消灯／点灯を制御する表示制御部と、を少なくとも備えるものである。
【００１２】
また、本発明の携帯端末機器は、電源が供給されている通電状態、又は、電源の供給が停止又は低減されている省電状態のいずれかに制御される複数の機能を有する携帯端末機器において、前記複数の機能の各々の電力制御状態が、前記通電状態であるか、前記省電状態であるかを示す電力状態情報を生成する電力状態情報生成部と、前記電力状態情報を参照して、前記複数の機能の各々の前記電力制御状態に応じてＬＥＤの表示色を制御する表示制御部と、を少なくとも備えるものである。
【００１３】
また、本発明の携帯端末機器は、電源が供給されている通電状態、又は、電源の供給が停止又は低減されている省電状態のいずれかに制御される複数の機能と、前記機能と同数のＬＥＤとを有する携帯端末機器において、前記複数の機能の各々の電力制御状態が、前記通電状態であるか、前記省電状態であるかを示す電力状態情報を生成する電力状態情報生成部と、前記電力状態情報を参照して、前記複数の機能の各々の前記電力制御状態に応じて各々の前記機能に対応するＬＥＤの消灯／点灯を制御する表示制御部と、を少なくとも備えるものである。
【００１４】
また、本発明の携帯端末機器は、電源が供給されている通電状態、又は、電源の供給が停止又は低減されている省電状態のいずれかに制御される複数の機能を有する携帯端末機器において、前記複数の機能の各々の電力制御状態が、前記通電状態であるか、前記省電状態であるかを示す電力状態情報を生成する電力状態情報生成部と、前記電力状態情報を参照して、前記複数の機能の各々の前記電力制御状態をディスプレイに表示させる表示制御部と、を少なくとも備えるものである。
【００１５】
このように、本発明の構成によれば、複数の機能の電力制御状態が識別できるように表示部の表示が制御されるため、特殊な冶具や高価な電流測定装置を用いることなく、また、専門の技術者でなくても、各々の機能の電力制御状態を簡単に確認することができる。
【発明の効果】
【００１６】
本発明の携帯端末機器によれば、下記記載の効果を奏する。
【００１７】
本発明の第１の効果は、特殊な冶具や高価な電流測定装置を用いることなく、携帯端末機器の電力制御状態をテストすることが可能になることである。その理由は、複数の機能の各々の電力制御状態が通電状態であるのか省電状態であるのかを示す省電状態フラグなどの電力状態情報が生成され、この電力状態情報に基づいて複数の機能の電力制御状態がＬＥＤやディスプレイに表示されるからである。
【００１８】
また、本発明の第２の効果は、専門の技術者でなくても、テスト実施者によって携帯端末機器の電力制御状態をテストすることができるため、多くの条件でのテストを実施することが容易になることである。その理由は、複数の機能の電力制御状態がＬＥＤの点灯／消灯や表示色などによって識別可能に表示され、また、ディスプレイに電力状態情報自体が表示されるからである。
【発明を実施するための最良の形態】
【００１９】
近年の携帯端末機器には電力制御機能が付加されており、携帯端末機器の電力は、ユーザが通話をしたり、カメラやミュージックプレイヤを操作したり、あるいは何もしないで着信を待っているなど、様々な機能の使用状態に応じて小まめに制御される。そして、基本的には、携帯端末機器の機能を実現する各デバイスに対して、必要なものには電力を供給し、必要でないものには電力供給を止めるか、低減させ、使用状態によって小まめに電力供給を切り替えることによって省電力を実現している。
【００２０】
しかしながら、従来は、携帯端末機器の各々の機能が通電状態であるのか省電力制御状態であるのかを目視で判断することができず、電力制御機能が動作しているか否かは特殊な冶具や高価な電流測定装置を用いて電流値を測定し、専門の技術者が解析することによって行っていたため、電力制御状態のテストに費用がかかり、多くの条件でテストを実施することが難しいという問題があった。
【００２１】
そこで、本発明では、携帯端末機器に、複数の機能の各々が通電状態であるのか省電状態であるのかを示す省電状態フラグなどの電力状態情報を生成する電力状態情報生成部と、電力状態情報に基づいて、各々の機能を動作させるデバイスに電力を供給する制御を行う電力制御部と、電力状態情報に基づいて、複数の機能の電力制御状態をＬＥＤやディスプレイなどの表示部に表示させる表示制御部とを設ける。
【００２２】
これにより、各々の機能の使用状態が電力状態情報によって一括管理され、電力制御部は電力状態情報を元に各デバイスに対して実際の電力制御を行い、表示制御部は、電力状態情報を元にＬＥＤやディスプレイなどの表示部に対して、例えば、電力制御状態に応じてＬＥＤを点灯／消灯したり、ＬＥＤの表示色を変えたり、電力状態情報自体をディスプレイに表示させるなどの表示制御を行うため、複数の機能の電力制御状態を一見して判別することができるようになり、電力制御状態のテストを簡単に実施することが可能となる。
【実施例】
【００２３】
上記実施形態について詳細に説明すべく、本発明の一実施例に係る携帯端末機器について、図１乃至図６を参照して説明する。図１は、本実施例の携帯端末機器の主な機能を示すブロック図であり、図２は、各種機能の電力制御状態を示す電力状態情報（省電状態フラグ）の一例を示す図である。また、図３は、本実施例の携帯端末機器を用いた電力制御状態の確認方法を示すフローチャート図であり、図４乃至図６は、電力制御状態の確認方法の他の例を示すフローチャート図である。
【００２４】
図１に示すように、本実施例の携帯端末機器は、音声や映像による通話を行う通話機能１０１や写真や動画の撮影を行うカメラ機能１０２、音楽を再生するミュージックプレイヤ機能１０３などの各種機能を備えている。なお、本発明の携帯端末機器は、少なくとも２つ以上の機能を備えていればよい。また、図１の機能は例示であり、図１の機能に加えて又は図１の機能に代えて、インターネットにアクセスする機能やＴＶ放送を受信する機能などの他の機能を備えていてもよい。
【００２５】
また、携帯端末機器には、ＣＰＵなどの機能によらず通電する共通デバイス３０１や通話機能１０１にのみ必要な通話デバイス３０２、カメラ機能１０２にのみ必要なカメラデバイス３０３、ミュージックプレイヤ機能１０３にのみ必要な音響デバイス３０４などの各種機能を実現するためのデバイスと、ＬＥＤやディスプレイ（例えば、液晶表示ディスプレイや有機ＥＬ表示ディスプレイ）などの表示部４０２と、各々の機能の電力制御状態を示す電力状態情報（例えば、通電状態であるか省電状態であるかを各々のビットの数値（１又は０）で示す省電情報フラグなど）を生成する電力状態情報生成部２００と、電力状態情報に基づいて、各々のデバイスに供給する電力を制御する電力制御部３００と、電力状態情報に基づいて、複数の機能の電力制御状態に応じて表示部４０２の表示形態を制御する表示制御部４０１とを備えている。
【００２６】
次に、上記構成の携帯端末機器を用いた電力制御状態の確認方法について、図３のフローチャート図を参照して説明する。
【００２７】
まず、ステップＳ０１で、通話機能１０１やカメラ機能１０２、ミュージックプレイヤ機能１０３などを使用すると、各々の機能は、電力が供給された状態（通電状態）であるか、電力の供給が停止又は低減された状態（省電状態）であるかを電力状態情報生成部２００に通知する。
【００２８】
次に、ステップＳ０２で電力状態情報生成部２００は、各々の機能からの通知に基づいて複数の機能の各々の電力制御状態を示す電力状態情報（以下、省電状態フラグとして説明する。）を生成する。図２は省電状態フラグの一例であり、通話機能１０１、カメラ機能１０２、ミュージックプレイヤ機能１０３の状態を３ビットで示しており、各々の機能が省電状態の場合に、対応するビットが１になるように構成されている。なお、図２の構成は例示であり、各々のビットの数値は逆にしてもよい。また、各々のビットと各々の機能とは任意に対応付けることができ、また、ビット数は機能の数に応じて適宜変更することができる。
【００２９】
次に、ステップＳ０３で電力制御部３００は、省電状態フラグを入力して各々の機能の電力制御状態を判別し、ステップＳ０４で電力供給が必要なデバイスに対して電力供給を行い、不必要なデバイスに対しては電力を停止するか、最低限の電力を供給する。
【００３０】
上記ステップＳ０１〜Ｓ０４までの動作を具体的に説明すると、ユーザが何もしない状態では、通話機能１０１、カメラ機能１０２、ミュージックプレイヤ機能１０３は、それぞれ電力状態情報生成部２００に省電状態「１」を通知し、電力状態情報生成部２００は省電状態フラグを「１１１」にする。そして、電力制御部３００は、省電状態フラグ「１１１」から、すべてのデバイスが省電状態であることを認識し、共通デバイス３０１、通話デバイス３０２、カメラデバイス３０３、音響デバイス３０４に対して電力の供給を停止する。
【００３１】
また、ユーザが通話を行う場合は、通話機能１０１が動作して電力状態情報生成部２００に通電状態「０」を通知し、電力状態情報生成部２００は省電状態フラグを「１１０」に変更する。電力制御部３００は、省電状態フラグ「１１０」から通話機能１０１が使用されていることを認識し、共通デバイス３０１及び通話デバイス３０２に対して電力を供給し、通話機能に必要のないカメラデバイス３０３及び音響デバイス３０４に対しては電力の供給を停止する。
【００３２】
また、ユーザが通話機能１０１を終了し、カメラ機能１０２を使う場合は、通話機能１０１が停止して電力状態情報生成部２００に省電状態「１」を通知し、カメラ機能１０２が動作して電力状態情報生成部２００に通電状態「０」を通知し、電力状態情報生成部２００は省電状態フラグを「０１１」に変更する。そして、電力制御部３００は、省電状態フラグ「０１１」から、カメラ機能１０２が使用されることを認識し、共通デバイス３０１及びカメラデバイス３０３に対して電力を供給し、カメラ機能１０２に必要のない通話デバイス３０２、音響デバイス３０４に対しては電力の供給を停止する。
【００３３】
また、同様に、ユーザがミュージックプレイヤ機能１０３を使用する場合は、カメラ機能１０２が停止して電力状態情報生成部２００に省電状態「１」を通知し、ミュージックプレイヤ機能１０３が動作して電力状態情報生成部２００に通電状態「０」を通知し、電力状態情報生成部２００は省電状態フラグを「１０１」に変更し、電力制御部３００は、共通デバイス３０１及び音響デバイス３０４に対して電力を供給し、ミュージックプレイヤ機能１０３に必要のない通話デバイス３０２、カメラデバイス３０３に対しては電力の供給を停止する。
【００３４】
次に、ステップＳ０５で表示制御部４０１は省電状態フラグを入力し、省電状態フラグに基づいて表示部４０２の表示形態を制御する。例えば、ステップＳ０６で表示制御部４０１は、全ての機能が省電状態であるか、すなわち、省電状態フラグが「１１１」と一致するか判定し、一致する場合は、ステップＳ０７で表示部４０２（例えば、ＬＥＤ）を消灯し、一致しない場合は、ステップＳ０８で表示部４０２（例えば、ＬＥＤ）を点灯する。なお、このＬＥＤは、着信などを知らせるために予め設けられているＬＥＤを利用してもよいし、電力制御状態を示すために設けたものを用いてもよい。また、ＬＥＤの消灯／点灯を逆にして、省電状態フラグが「１１１」と一致する場合にＬＥＤを点灯し、一致しない場合にＬＥＤを消灯してもよい。そして、この一連の処理を電源がオフにされるまで繰り返す。
【００３５】
このように、本実施例の携帯端末機器では、電力状態情報生成部２００は各々の機能からの通知に基づいて電力状態情報（省電状態フラグ）を生成し、表示制御部４０１はこの電力状態情報に基づいて、ＬＥＤなどの表示部４０２の表示形態を制御するため、特殊な冶具や高価な電流測定装置を用いることなく、また、専門の技術者でなくても、表示部４０２の表示形態を確認するだけで各種機能の電力制御状態を簡単に知ることができる。
【００３６】
なお、上記説明では、いずれかの機能が省電状態である場合にＬＥＤを点灯させたが、本発明では、各々の機能の電力制御状態に応じて表示部４０２の表示形態が制御されればよく、例えば、表示部４０２に３色（例えば赤、緑、青）の発光が可能なＬＥＤを用いた場合には、各々の機能の電力制御状態を表示色で区別して表示することもできる。
【００３７】
その場合の表示制御部４０１の動作について、図４のフローチャート図を参照して説明すると、ステップＳ１１で表示制御部４０１は、全ての機能が省電状態であるか、すなわち、省電状態フラグが「１１１」と一致するか判定し、一致する場合は、ステップＳ１２でＬＥＤを消灯し、一致しない場合は、ステップＳ１３で省電状態フラグのどのビットが「０」であるかを判定し、通話機能１０１に対応するビットが「０」の場合は、ステップＳ１４でＬＥＤを赤色に点灯し、カメラ機能１０２に対応するビットが「０」の場合は、ステップＳ１５でＬＥＤを緑色に点灯し、ミュージックプレイヤ機能１０３に対応するビットが「０」の場合は、ステップＳ１６でＬＥＤを青色に点灯する。
【００３８】
このように、各々の機能の電力制御状態に応じて、表示部４０２の表示形態を変化させることによって、どの機能が省電状態又は通電状態であるのかを判断することができ、各種機能の電力制御状態をより詳細に知ることができる。なお、図４では、ＬＥＤの表示色を変化させる構成としたが、表示色を変える代わりにＬＥＤの点灯の明るさを変えたり、ＬＥＤの点滅の間隔やパターンを変えるなどとしてもよい。
【００３９】
また、図４では、１つのＬＥＤの表示形態（表示色や明るさ、点滅の間隔やパターン）を変える場合について示したが、例えば、携帯端末機器に、機能の種類と同じ数のＬＥＤ（本実施例の場合は第１〜第３の３つのＬＥＤ）がある場合には、各々の機能の電力制御状態を個々のＬＥＤに表示することもできる。
【００４０】
その場合の手順を図５のフローチャート図を参照して説明すると、ステップＳ２１で表示制御部４０１は通話機能１０１が省電状態であるかを判定し、省電状態の場合は、ステップＳ２２で第１のＬＥＤを消灯し、通電状態の場合は、ステップＳ２３で第１のＬＥＤを点灯する。続いて、ステップＳ２４で表示制御部４０１はカメラ機能１０２が省電状態であるかを判定し、省電状態の場合は、ステップＳ２５で第２のＬＥＤを消灯し、通電状態の場合は、ステップＳ２６で第２のＬＥＤを点灯する。更に、ステップＳ２７で表示制御部４０１はミュージックプレイヤ機能１０３が省電状態であるかを判定し、省電状態の場合は、ステップＳ２８で第３のＬＥＤを消灯し、通電状態の場合は、ステップＳ２９で第３のＬＥＤを点灯する。
【００４１】
このように、各々の機能の電力制御状態を異なる表示部４０２に表示させることによって、どの機能が省電状態又は通電状態であるのかを判断することができ、各種機能の電力制御状態をより詳細に知ることができる。なお、このＬＥＤも、携帯端末機器に予め設けられたＬＥＤを利用してもよいし、電力制御状態を示すために設けたものを用いてもよい。また、ＬＥＤの点灯／消灯は逆にしてもよく、図４の方法と図５の方法とを組み合わせて、各々の種機能の電力制御状態を異なる表示部４０２に異なる表示形態で表示してもよい。
【００４２】
また、図３乃至図５では、各々の機能の電力制御状態をＬＥＤの表示で識別できるようにしたが、携帯端末機器に予め設けられた液晶ディスプレイや有機ＥＬディスプレイなどのディスプレイに電力制御状態を表示することもできる。
【００４３】
その場合の手順を図６のフローチャート図を参照して説明すると、ステップＳ３１で表示制御部４０１は、全ての機能が省電状態であるか、すなわち、省電状態フラグが「１１１」と一致するか判定し、一致しない場合は、ステップＳ３２で電力状態情報をディスプレイに表示する。
【００４４】
このように、各々の機能の電力制御状態をディスプレイに表示させることによって、どの機能が省電状態又は通電状態であるのかを判断することができ、各種機能の電力制御状態をより詳細に知ることができる。なお、ディスプレイにどのような情報を表示してもよく、例えば、省電状態フラグ自体を表示してもよいし、各々の機能を特定するための情報（機能の名称やイラストなど）とその機能の電力制御状態（通電／省電の文字など）とを対応付けて表示させてもよい。また、各々の機能の電力制御状態にかかわらず常に電力状態情報を表示してもよいし、ＬＥＤの表示とディスプレイの表示とを組み合わせてもよい。
【産業上の利用可能性】
【００４５】
本発明は携帯電話機に限らず、ＰＤＡやゲーム機などの電力消費を抑えることが求められる任意の携帯機器に適用することができる。
【図面の簡単な説明】
【００４６】
【図１】本発明の一実施例に係る携帯端末機器の主要な構成を模式的に示すブロック図である。
【図２】本発明の一実施例に係る省電状態フラグの一例を示す図である。
【図３】本発明の一実施例に係る携帯端末機器を用いた電力制御状態の判別方法を示すフローチャート図である。
【図４】本発明の一実施例に係る携帯端末機器を用いた電力制御状態の判別方法の他の例を示すフローチャート図である。
【図５】本発明の一実施例に係る携帯端末機器を用いた電力制御状態の判別方法の他の例を示すフローチャート図である。
【図６】本発明の一実施例に係る携帯端末機器を用いた電力制御状態の判別方法の他の例を示すフローチャート図である。
【符号の説明】
【００４７】
１０１  通話機能
１０２  カメラ機能
１０３  ミュージックプレイヤ機能
２００  電力状態情報生成部
３００  電力制御部
３０１  共通デバイス
３０２  通話デバイス
３０３  カメラデバイス
３０４  音響デバイス
４０１  表示制御部
４０２  表示部
【図１】
2006229340.tif 000003
【図２】
2006229340.tif 000004
【図３】
2006229340.tif 000005
【図４】
2006229340.tif 000006
【図５】
2006229340.tif 000007
【図６】
2006229340.tif 000008